(57)【要約】【課題】  簡単な構造のもとに内装容器に装飾を施して興趣に富む花瓶を提供すること。【解決手段】  中間に空隙５が確保される状態のもとに、外装容器２と内装容器４とを設けた複層容器型の花瓶であって、外装容器２の周壁を実質的に不透明に構成すると共に、その周壁に観賞窓６を開設して外部から観賞窓６を透して内装容器４の一部分と外装容器２の内周面とを見ることができるように形成するほか、内装容器４の外側面には観賞窓６に対向する部分に装飾７を施したことを主要部とする。これにより外装容器２に形成した観賞窓６と観賞窓６を透して見える奥部の装飾７とにより著しい意外性が発揮され、内装容器４に生ける花との調和と相俟って興趣に富んだ美しい花瓶として演出させることができる。なお外装容器２をその観賞窓６が背方に向くように適度に回転した状態に配置することにより、内部装飾７が見えない通常の花瓶としての役割も果たすことができる。【選択図】図１
2017213327.tif 000002
【特許請求の範囲】
【請求項１】
中間に空隙（５）が確保される状態のもとに、外装容器（２）と内装容器（４）とを設けた複層容器型の花瓶であって、外装容器（２）の周壁を実質的に不透明に構成すると共に、その周壁に観賞窓（６）を開設して外部から観賞窓（６）を透して内装容器（４）の一部分と外装容器（２）の内周面とを見ることができるように形成するほか、内装容器（４）の外側面には少なくとも観賞窓（６）に対向する部分に装飾（７）を施したことを特徴とする花瓶。
【請求項２】
外装容器（２）の内面には少なくとも観賞窓（６）を透して外部から見ることができる部分に装飾（８）を施した請求項１に記載の花瓶。
【請求項３】
観賞窓（６）を不規則な線で模られた非幾何学的形状に形成した請求項１または請求項２に記載の花瓶。
【請求項４】
内装容器（４）の装飾（６）を凹凸面で形成するようにした請求項１ないし請求項３のいずれか１に記載の花瓶。
【請求項５】
外装容器（２）に対して内装容器（４）を着脱自在に装着した請求項１ないし請求項４のいずれか１に記載の花瓶。
【発明の詳細な説明】
【技術分野】
【０００１】  本発明は外装容器と内装容器とからなる複層容器型の花瓶に関する。
【背景技術】
【０００２】  内外複層容器から構成する花瓶はありふれたものとして存在しており、壷または甕形の外装容器内に花挿し用の内装容器を収容した型式のものも多い。
【先行技術文献】
【特許文献】
【０００３】
【特許文献１】  実開平５−４６２７１公報
【特許文献２】  登録実用新案第３０３８１６６
【発明の概要】
【発明が解決しようとする課題】
【０００４】  上記特許文献の構造によれば、外装容器の外観はある程度の変化があるが、見る者に与える興趣は低い。そこで本発明の目的は、簡単な構造のもとに、内装容器または内装外装両容器にインパクトを有する装飾を施して興趣に富む花瓶を提供することにある。
【課題を解決するための手段】
【０００５】  上記目的を達成するため、請求項１の発明は、中間に空隙５が確保される状態のもとに、外装容器２と内装容器４とを設けた複層容器型の花瓶であって、外装容器２の周壁を実質的に不透明に構成すると共に、その周壁に観賞窓６を開設して外部から観賞窓６を透して内装容器４の一部分と外装容器２の内周面とを見ることができるように形成するほか、内装容器４の外側面には少なくとも観賞窓６に対向する部分に装飾７を施したことを特徴とする花瓶である。【０００６】  請求項２の発明は、外装容器２の内面には少なくとも観賞窓６を透して外部から見ることができる部分に装飾８を施した請求項１に記載の花瓶である。【０００７】  請求３の発明は、観賞窓６を不規則な線で模られた非幾何学的形状に形成した請求項１または請求項２に記載の花瓶である。【０００８】  請求項４の発明は、内装容器４の装飾７を凹凸面で形成するようにした請求項１ないし請求項３のいずれか１に記載の花瓶である。【０００９】  請求項５の発明は、外装容器２に対して内装容器４を着脱自在に装着した請求項１ないし請求項４のいずれか１に記載の花瓶である。
【発明の効果】
【００１０】  請求項１の発明によれば、中間に空隙５が確保される状態のもとに、外装容器２と内装容器４とを設けた複層容器型の花瓶において、外装容器２の周壁を実質的に不透明に構成すると共に、その周壁に観賞窓６を開設して外部から観賞窓６を透して内装容器４の一部分と外装容器２の内周面とを見ることができるように形成するほか、内装容器４の外側面には少なくとも観賞窓６に対向する部分に装飾７を施したから、先ず観賞窓６によるインパクトを与え、次いで観賞窓６とその奥部の装飾７とによる立体的装飾により著しい意外性が発揮され、内装容器４に生ける花との調和と相俟ってより一層興趣に富んだ美しい花瓶を演出させることができる。しかも、外装容器２をその観賞窓６が背方に向くように回転した状態に配置することにより、内部装飾７が見えない通常の花瓶としての役割も果たすことができる。【００１１】  請求項２の発明によれば、外装容器２の内面に観賞窓６を透して見ることができる装飾８を施したから、内装容器４の装飾７と外装容器２内面の装飾８とが相俟って装飾性を一層強調することができる。【００１２】  請求項３の発明によれば、観賞窓６を不規則な線で模られた非幾何学的形状に形成したから、外装容器２の内部に恰も洞窟が形成されたと云うインパクトを与え、観賞窓６により風雅のある花瓶としての趣が得られる。【００１３】  請求項４の発明によれば、装飾７を凹凸面で形成するようにしたから、平面的画像に比較してレリーフ風の現実味を帯びた装飾を得ることができる。【００１４】  請求項５の発明によれば、外装容器２に対して内装容器４を着脱自在に構成したことにより、内装容器４内の水の交換並びに内装外装両容器４，２の洗浄を容易に行うことができるばかりでなく、内装容器４の装飾７の変換も容易であり、また内装容器４の装飾７について、円周を２等分または３等分に区分けして複数種の装飾７，７を形成した場合、複数種中の所望の部分を選択して観賞窓６に対応させるようにすることができ、その向きの変更により単一の内装容器４の使用であっても、複数通りの装飾の使い分けができる。しかも内装容器４を取り出すことなく観賞窓６から手指を入れて操作することにより、内装容器４を回転させることが可能であり好都合である。
【図面の簡単な説明】
【００１５】
【図１】  本発明の第１実施形態における花瓶の斜面図である。
【図２】  図１の花瓶の縦断側面図である。
【図３】  図２中の線ＩＩＩ−ＩＩＩにおける横断平面図である。
【図４】  本発明の第２実施形態における花瓶の縦断側面図である。
【発明を実施するための形態】
【００１６】  本発明の第１実施形態の花瓶を図１ないし図３により説明する。頂部に開口１がある球形に近い壷状の外装容器２と、頂部に開口３があるカップ状の内装容器４とからなり、外装容器２の内部には内装容器４をその開口３が前記外装容器２における開口１に符合する状態に収納し、外装容器２と内装容器４との中間に空隙５を確保する。かつ特に外装容器２の周壁の一部に比較的大きい（例えば開口１よりも大きい）観賞窓６を開設する。観賞窓６は円形，楕円形，三角形，四角形，異形等任意の形状を選択できるが、図示のような不規則な線で模られた非幾何学的形状に形成すると、風雅な趣を際立たせることができる。なお外装容器２をその観賞窓６が背方に向くように適度に回転した状態に配置することにより、内部装飾７が見えない通常の花瓶としての役割も果たすことができる。
【００１７】  図１ないし図３に記載の花瓶において、外装容器２における開口１は円形であり、その寸法は内装容器４の上端縁の外周が緩嵌状態に嵌合するように選択する。内装容器４は直円筒カップ状で外装容器２における開口１に上方から挿し込むようにし、内装容器４の上下両端部で接着固定する。可能な場合には観賞窓６から収納してもよい。なお観賞窓６は１個に限らず２個以上の複数個設けてもよく、大きさも任意に形成することができる。例えば図１に虚線で示すように小型の観賞窓６を隣接して設ける。
【００１８】  内装容器４の周面には少なくとも外装容器２における観賞窓６に対向する部分即ち観賞窓６から見える部分に例えば風景画（図示の例では滝の風景）等の装飾７を実写に模して凹凸面で施し、更に外装容器２の内面に内装容器４の装飾７に対応した装飾８をこれまた実写に模して凹凸面とし、装飾７，装飾８はモルタルその他耐水性の材料を使用し更に彩色を施す。
【００１９】  外装容器２の形状は図示のような球形に近いものに限らず、例えば円筒状，角筒状，円錐台状，角錐台状，逆円錐台状，逆角錐台状，ビヤ樽状等、種々の形状を選択することができ、また外装容器２の材質は、任意のものを使用できるが、陶磁器，ガラス，プラスチック，発泡プラスチック，木等で製作するのが望ましい。ガラスあるいはプラスチックを使用する場合は、少なくとも観賞窓６を除外して外方からは内装容器４が透視できない実質的に不透明に構成にする。この明細書において実質的に不透明とは、透明な素材を使用した場合には周壁の表面および／または裏面に不透明な膜を設け、あるいは壁体の内部に不透明となる粒子を含有させることにより、外装容器２の壁体を透して他側が見えない状態を指すものとする。
【００２０】  図４に示す第２実施形態における花瓶は、内装容器４を外装容器２に着脱自在に収納した例であって、内装容器４は単に外装容器２の内部に載置された状態であり、観賞窓６は円形であり、かつ内装容器４は円筒カップ状である。内装容器４を外装容器２に着脱自在に収納すると、水の交換に好都合であるほか、内装容器４および外装容器２の洗浄に便利である。なお内装容器４の装飾７については、円周を２等分またはそれ以上の複数等分に区分けして複数種の装飾７を形成し、複数種中の所望の部分を選択して観賞窓６に対応させるようにすると、単一の内装容器４の使用であっても、複数通りの装飾７の使い分けができ、しかも観賞窓６が複数個の場合は、各観賞窓６から異なる装飾７を見ることができるのである。なお内装容器４を取り出すことなく観賞窓６から手指を入れて内装容器４を回転させることができる。
【００２１】  外装容器２の製作に当たっては、少量の場合は３Ｄプリントにより作製するとよい。また装飾７および８について、図示の実施形態においては風景を例示したが、風景に限らず他のものを適用することができるのであって、例えば彫像，肖像，肖像画，絵，写真，キャラクター，マスコット等種々のものを採択することができ、なお耐水性を保有することが望ましいのであるが必ずしも必要とするものではない。
【符号の説明】
【００２２】        １    開口
２    外装容器
３    開口
４    内装容器
５    空隙
６    観賞窓
７    装飾
８    装飾
【図１】
2017213327.tif 000003
【図２】
2017213327.tif 000004
【図３】
2017213327.tif 000005
【図４】
2017213327.tif 000006